(57)【要約】【課題】装着型の血圧計の利便性を向上することが可能な血圧計を提供する。【解決手段】本発明の血圧計１は、ユーザが装着して使用する血圧計であって、ユーザの血圧を測定する測定部１０と、ユーザの姿勢を検出する検出部２０と、記憶部３０と、表示部４０と、制御部５０と、を備え、制御部５０は、ユーザの参照姿勢を記憶部３０に記憶し、検出部２０によってユーザの姿勢の検出を開始し、検出部２０によって検出されたユーザの姿勢と、参照姿勢との比較結果を表示部４０に表示し、比較結果を表示した後、測定部１０によってユーザの血圧測定を開始し、血圧測定の結果を表示部４０に表示し、検出部２０によって検出されたユーザの姿勢に基づいて、記憶部３０に記憶された参照姿勢を更新する。【選択図】図１
2020156749.tif 000002
【特許請求の範囲】
【請求項１】
ユーザが装着して使用する血圧計であって、
前記ユーザの血圧を測定する測定部と、
前記ユーザの姿勢を検出する検出部と、
記憶部と、表示部と、制御部と、
を備え、
前記制御部は、
前記ユーザの参照姿勢を前記記憶部に記憶し、
前記検出部によって前記ユーザの姿勢の検出を開始し、
前記検出部によって検出された前記ユーザの姿勢と、前記参照姿勢との比較結果を前記表示部に表示し、
前記比較結果を表示した後、前記測定部によって前記ユーザの血圧測定を開始し、
前記血圧測定の結果を前記表示部に表示し、
前記検出部によって検出された前記ユーザの姿勢に基づいて、前記記憶部に記憶された前記参照姿勢を更新する、血圧計。
【請求項２】
請求項１に記載の血圧計であって、
前記ユーザの手首に装着して使用され、
前記検出部は、前記血圧計の仰俯角に基づいて前記ユーザの姿勢を検出する、血圧計。
【請求項３】
請求項１又は２に記載の血圧計であって、
前記参照姿勢は、前回の血圧測定に供する前記ユーザの姿勢である、血圧計。
【請求項４】
請求項１又は２に記載の血圧計であって、
前記参照姿勢は、過去複数回の血圧測定に供する前記ユーザの姿勢に基づいて決定される、血圧計。
【請求項５】
ユーザが装着して使用する血圧計が実行する方法であって、
前記ユーザの参照姿勢を記憶するステップと、
前記ユーザの姿勢の検出を開始するステップと、
検出された前記ユーザの姿勢と、前記参照姿勢との比較結果を表示するステップと、
前記比較結果を表示した後、前記ユーザの血圧測定を開始するステップと、
前記血圧測定の結果を表示するステップと、
検出された前記ユーザの姿勢に基づいて、前記参照姿勢を更新するステップと、
を含む、方法。
【請求項６】
ユーザが装着して使用する血圧計に、
前記ユーザの参照姿勢を記憶するステップと、
前記ユーザの姿勢の検出を開始するステップと、
検出された前記ユーザの姿勢と、前記参照姿勢との比較結果を表示するステップと、
前記比較結果を表示した後、前記ユーザの血圧測定を開始するステップと、
前記血圧測定の結果を表示するステップと、
検出された前記ユーザの姿勢に基づいて、前記参照姿勢を更新するステップと、
を実行させる、プログラム。
【発明の詳細な説明】
【技術分野】
【０００１】
本発明は、血圧計、方法、及びプログラムに関する。
【背景技術】
【０００２】
従来、ユーザが例えば手首に装着して使用する血圧計が知られている。また、血圧を測定する際には、ユーザに装着した血圧計と心臓との高さが一致する姿勢を取ることが理想的であるとされている。以下、当該姿勢を理想姿勢という。
【０００３】
特許文献１には、ユーザの姿勢が予め記憶された理想姿勢と異なる場合に、ユーザの姿勢を理想姿勢に誘導して、ユーザの姿勢が理想姿勢と一致すると、血圧測定を開始する血圧計が開示されている。
【先行技術文献】
【特許文献】
【０００４】
【特許文献１】特許第５２４８５３１号
【発明の概要】
【発明が解決しようとする課題】
【０００５】
しかしながら、ユーザによっては理想姿勢を取ることが困難な場合があり、理想姿勢を取ることが困難なユーザにとって、従来の装着型の血圧計の利便性は必ずしも高くない。
【０００６】
かかる事情に鑑みてなされた本発明の目的は、装着型の血圧計の利便性を向上することにある。
【課題を解決するための手段】
【０００７】
上記課題を解決するために本発明の一実施形態に係る血圧計は、ユーザが装着して使用する血圧計であって、
前記ユーザの血圧を測定する測定部と、
前記ユーザの姿勢を検出する検出部と、
記憶部と、表示部と、制御部と、
を備え、
前記制御部は、
前記ユーザの参照姿勢を前記記憶部に記憶し、
前記検出部によって前記ユーザの姿勢の検出を開始し、
前記検出部によって検出された前記ユーザの姿勢と、前記参照姿勢との比較結果を前記表示部に表示し、
前記比較結果を表示した後、前記測定部によって前記ユーザの血圧測定を開始し、
前記血圧測定の結果を前記表示部に表示し、
前記検出部によって検出された前記ユーザの姿勢に基づいて、前記記憶部に記憶された前記参照姿勢を更新する。
【０００８】
また、本発明の一実施形態に係る方法は、ユーザが装着して使用する血圧計が実行する方法であって、
前記ユーザの参照姿勢を記憶するステップと、
前記ユーザの姿勢の検出を開始するステップと、
検出された前記ユーザの姿勢と、前記参照姿勢との比較結果を表示するステップと、
前記比較結果を表示した後、前記ユーザの血圧測定を開始するステップと、
前記血圧測定の結果を表示するステップと、
検出された前記ユーザの姿勢に基づいて、前記参照姿勢を更新するステップと、
を含む。
【０００９】
また、本発明の一実施形態に係るプログラムは、ユーザが装着して使用する血圧計に、
前記ユーザの参照姿勢を記憶するステップと、
前記ユーザの姿勢の検出を開始するステップと、
検出された前記ユーザの姿勢と、前記参照姿勢との比較結果を表示するステップと、
前記比較結果を表示した後、前記ユーザの血圧測定を開始するステップと、
前記血圧測定の結果を表示するステップと、
検出された前記ユーザの姿勢に基づいて、前記参照姿勢を更新するステップと、
を実行させる。
【発明の効果】
【００１０】
本発明によれば、装着型の血圧計の利便性を向上することが可能となる。
【図面の簡単な説明】
【００１１】
【図１】本発明の一実施形態に係る血圧計１の構成を示す機能ブロック図である。
【図２】本発明の一実施形態に係る血圧計１の斜視図である。
【図３Ａ】図２の血圧計１を座位で使用する場合の模式図である。
【図３Ｂ】図２の血圧計１を仰臥位で使用する場合の模式図である。
【図４】図１の血圧計１が備える表示部４０の概略図である。
【図５】図１の血圧計１が実行する方法を示すフローチャートである。
【発明を実施するための形態】
【００１２】
以下、本発明の実施形態について、図面を参照して説明する。
【００１３】
はじめに、図１及び２を参照して、本発明の一実施形態に係る血圧計１について説明する。
【００１４】
血圧計１は、ユーザが装着して使用する血圧計である。例えば図２に示すように、血圧計１は、カフを含む装着部２と、装着部２に一体的に取り付けられた本体部３とを備える。本体部３は、測定部１０と、検出部２０と、記憶部３０と、表示部４０と、制御部５０とを備える。
【００１５】
測定部１０は、ユーザの血圧を測定する。測定部１０は、圧力センサを含むことができる。この場合、測定部１０は、装着部２のカフにて動脈を圧し、この時に発生する脈動によるカフの空気袋内の圧力の変化を圧力センサによって検知することで、ユーザの血圧を測定する。なお、測定部１０は、ユーザの脈拍を測定してもよい。
【００１６】
検出部２０は、ユーザの姿勢を検出する。検出部２０は、血圧計１の仰俯角に基づいてユーザの姿勢を検出することができる。例えば、検出部２０が加速度センサを含む場合、検出部２０は、加速度センサの出力（具体的には重力加速度の検出値）に基づいて血圧計１の仰俯角を算出する。
【００１７】
より具体的に、図３Ａは、座位で血圧を測定する場合のユーザの姿勢を示す。この場合、血圧計１の仰俯角は、ユーザの前腕とテーブルとのなす角θである。一方、図３Ｂは、座位を取ることが困難なユーザが仰臥位で血圧を測定する場合のユーザの姿勢を示す。この場合、血圧計１の仰俯角は、ユーザの前腕と床とのなす角（例えば０°）である。このように、検出部２０は、ユーザの姿勢を血圧計１の仰俯角に対応付けて検出することができる。
【００１８】
検出部２０は、加速度センサに限られず、角速度センサを含んでもよい。この場合、検出部２０は、角速度センサの出力に基づいて血圧計１の仰俯角を算出することにより、ユーザの姿勢を検出することができる。
【００１９】
記憶部３０は、例えばメモリである。記憶部３０には、血圧計１の各種動作に必要な種々の情報及びプログラムが記憶される。当該情報には、ユーザの参照姿勢、毎回の測定姿勢（すなわち、血圧測定に供するユーザの姿勢）、及び毎回の血圧測定の結果等が含まれる。
【００２０】
表示部４０は、例えばセグメント表示又はドット表示が可能な液晶ディスプレイである。図４を参照して、表示部４０は、第１の領域４１及び第２の領域４２を含むことができる。第１の領域４１には、血圧測定の結果（例えば最高血圧値及び最低血圧値）等が表示される。第２の領域４２には、検出部２０によって検出されたユーザの姿勢と、記憶部３０に記憶された参照姿勢との比較結果が表示される。詳細は後述するが、第２の領域４２は、ユーザの姿勢が参照姿勢と一致しているか否かをユーザに視覚的に伝達するためのものである。ここで、本明細書における「一致」とは、数学上の厳密な一致を要求するものではなく、長期的な血圧測定に影響を与えない程度の誤差を含み得る。なお、視覚的に伝達する方法は、セグメント表示又はドット表示に限られず、インジケータ表示であってもよい。
【００２１】
制御部５０は、１つ以上のプロセッサを含む。制御部５０は、有線又は無線によって、測定部１０、検出部２０、記憶部３０、及び表示部４０に通信接続される。以下、制御部５０について詳細に説明する。
【００２２】
制御部５０は、ユーザの参照姿勢を記憶部３０に記憶する。詳細は後述するが、ユーザの参照姿勢は、前回の血圧測定に供するユーザの姿勢であってもよい。また、ユーザの参照姿勢は、過去複数回の血圧測定に供するユーザの姿勢に基づいて決定されてもよい。
【００２３】
制御部５０は、検出部２０によってユーザの姿勢の検出を開始する。
【００２４】
制御部５０は、検出部２０によって検出されたユーザの姿勢と、記憶部３０に記憶された参照姿勢との比較結果を表示部４０に表示する。ここで、本実施形態において、制御部５０は、検出部２０によってユーザの姿勢を検出しながら、検出されたユーザの姿勢と、記憶部３０に記憶された参照姿勢との比較を行い、比較結果を表示部４０に表示する。
【００２５】
上述した比較は、例えば以下のように行うことができる。検出部２０が加速度センサを含む場合、制御部５０は、参照姿勢に対応付けされた血圧計１の仰俯角と、測定姿勢に対応付けされた血圧計１の仰俯角との差分を算出する。そして、制御部５０は、当該差分に基づいて、ユーザの姿勢に対応付けされた血圧計１の仰俯角が、参照姿勢に対応付けされた血圧計１の仰俯角に比べて、大きいか、小さいか、又は一致するかを表示部４０に表示する。例えば、図４では、第２の領域４２における一番右側のセグメントが点灯している（斜線で示す）ため、ユーザの姿勢に対応付けされた血圧計１の仰俯角が、参照姿勢に対応付けされた血圧計１の仰俯角よりも大きいことを示す。なお、仰俯角の大小については、仰角側を「大」と定義し、俯角側を「小」と定義する。
【００２６】
ユーザは、表示部４０を見ながら、検出部２０によって検出された姿勢を修正することで参照姿勢に近づくことができる。例えば、ユーザは、図４の第２の領域４２を見ながら姿勢を修正することで参照姿勢に近づくことができる。図４では、第２の領域４２の一番右側のセグメントが点灯しているため、検出中の姿勢に対応付けされた血圧計１の仰俯角が、参照姿勢に対応付けされた血圧計１の仰俯角よりも大きいことを示す。ユーザが姿勢を修正することで参照姿勢に近づくにつれて、右から２番目のセグメントが点灯し、最終的にユーザの姿勢が参照姿勢に一致すると中央のセグメントが点灯する。このようにして、ユーザは、視覚的に姿勢を修正することができ、修正後の姿勢を後述する血圧測定に供することができる。ただし、最終的にユーザの姿勢が参照姿勢に一致しない場合であっても、制御部５０は、検出部２０によってユーザの姿勢の検出を開始してから所定の時間が経過すると、この時のユーザの姿勢を血圧測定に供する姿勢とすることもできる。なお、制御部５０は、ビープ音、バイブレーション等の物理的振動、又は低周波電気信号等を用いて、修正後の姿勢が参照姿勢と一致するか否かをユーザに伝達してもよい。
【００２７】
制御部５０は、前述した比較結果を表示部４０に表示した後、測定部１０によってユーザの血圧測定を開始する。制御部５０は、血圧測定を開始するとともに、測定部１０によって脈拍測定を開始してもよい。
【００２８】
制御部５０は、血圧測定の結果を表示部４０に表示する。制御部５０は、脈拍測定の結果を表示部４０に表示してもよい。
【００２９】
制御部５０は、検出部２０よって検出されたユーザの姿勢に基づいて、記憶部３０に記憶された参照姿勢を更新する。例えば、制御部５０は、今回の血圧測定に供した姿勢（以下、「今回の測定姿勢」）を、上述した参照姿勢（以下、「今回の参照姿勢」）に上書きしたものを次回の参照姿勢としてもよい。つまり、次回の参照姿勢は、今回の測定姿勢である。あるいは、制御部５０は、今回の参照姿勢と今回の測定姿勢との平均を取ったものを次回の参照姿勢としてもよい。または、制御部５０は、今回の参照姿勢と今回の測定姿勢との平均に基づいて、過去複数回の測定姿勢と今回の測定姿勢との標準偏差を算出し、過去複数回の測定姿勢と今回の測定姿勢のうちからばらつきが少ない測定姿勢のみを抽出して、これらの平均を取ったものを次回の参照姿勢としてもよい。つまり、次回の参照姿勢は、今回の測定姿勢も含む過去複数回の測定姿勢に基づいて決定される。
【００３０】
本実施形態によれば、理想姿勢を取ることが困難なユーザであっても、ユーザが実際に取った過去の測定姿勢に基づいて決定される参照姿勢を取ればよいので、装着型の血圧計の利便性が向上する。また、長期的な血圧観察において、血圧の測定誤差を低減することができる。さらに、理想姿勢を取ることが困難なユーザであっても、リラックスした状態で長期的に血圧を観察することができる。
【００３１】
次に、図５に示すフローチャートを参照して、本実施形態に係る血圧計１が実行する方法の例について説明する。
【００３２】
ステップＳ１００：制御部５０は、ユーザの参照姿勢を記憶部３０に記憶する。
【００３３】
ステップＳ１１０：制御部５０は、検出部２０によってユーザの姿勢（以下、「現在の姿勢」ともいう。）の検出を開始する。例えば、制御部５０は、検出されたユーザの姿勢を記憶部３０に記憶してもよい。
【００３４】
ステップＳ１２０：続いて、制御部５０は、検出部２０によって検出されたユーザの姿勢と、ステップＳ１００で記憶部３０に記憶された参照姿勢との比較結果を表示部４０に表示する。これにより、ユーザは、表示部４０を見ながらステップＳ１１０で検出された姿勢を修正等することで参照姿勢に近づくことができる。なお、制御部５０は、ステップＳ１２０を実行するにあたり、ステップＳ１００で記憶された参照姿勢、及びステップＳ１１０で検出されたユーザの姿勢を記憶部３０から取得してもよい。
【００３５】
ステップＳ１３０：続いて、制御部５０は、測定部１０によってユーザの血圧測定を開始する。例えば、制御部５０は、血圧測定の結果を記憶部３０に記憶してもよい。
【００３６】
ステップＳ１４０：制御部５０は、ステップＳ１３０の血圧測定の結果を表示部４０に表示する。
【００３７】
ステップＳ１５０：制御部５０は、検出部２０によって検出したユーザの姿勢に基づいて、ステップＳ１００で記憶部３０に記憶された参照姿勢を更新する。例えば、制御部５０は、ステップＳ１５０を実行するにあたり、測定姿勢、及び参照姿勢を記憶部３０から取得してもよい。なお、参照姿勢の更新の詳細については、前述の説明を援用する。
【００３８】
以上、本発明を諸図面や実施形態に基づき説明したが、当業者であれば本開示に基づき種々の変形又は修正を行うことが容易であることに注意されたい。したがって、これらの変形又は修正は本発明の範囲に含まれることに留意されたい。例えば、各ステップ等に含まれる機能等は論理的に矛盾しないように再配置可能であり、複数のステップ等を１つに組み合わせたり、あるいは分割したりすることが可能である。
【００３９】
上述した実施形態では、血圧計１の仰俯角θをユーザの姿勢とする例を説明したが、ユーザの前腕に対し仰俯角θの正弦を取ることによって算出した血圧計１の肘からの高さをユーザの姿勢としてもよい。
【００４０】
また、汎用の装着型の血圧計を、上述した実施形態に係る血圧計１として機能させる構成も可能である。具体的には、実施形態に係る血圧計１の各機能を実現する処理内容を記述したプログラムを、血圧計のメモリに格納し、血圧計のプロセッサによって当該プログラムを読み出して実行させる。したがって、本実施形態に係る発明は、プロセッサが実行可能なプログラムとしても実現可能である。
【符号の説明】
【００４１】
１  血圧計
２  装着部
３  本体部
１０  測定部
２０  検出部
３０  記憶部
４０  表示部
４１  第１の領域
４２  第２の領域
５０  制御部
θ  血圧計の仰俯角
【図１】
2020156749.tif 000003
【図２】
2020156749.tif 000004
【図３Ａ】
2020156749.tif 000005
【図３Ｂ】
2020156749.tif 000006
【図４】
2020156749.tif 000007
【図５】
2020156749.tif 000008